(57)【要約】【課題】ユーザの希望に応じた表示方法で、画像データの撮影日時を表示する。【解決手段】まず、撮影日時情報を表示するか否かが選択される（ステップＳ１）。撮影日時情報の表示方法として、文字として表示する文字表示、又は、カレンダー上に表示するカレンダー表示が選択される（ステップＳ２）。文字表示が選択された場合には（ステップＳ２；文字表示）、文字のサイズ、色、フォント、文字装飾又は位置が設定される（ステップＳ３）。カレンダー表示が選択された場合には（ステップＳ２；カレンダー表示）、カレンダー表示の種類、カレンダーのサイズや位置、文字のサイズ、色、フォント、文字装飾が設定される（ステップＳ４）。以上のような設定に基づいて、複数の画像データが撮影日時情報とともに、表示部に順次連続的に切り替えて表示され、スライドショーとして再生される（ステップＳ５）。【選択図】図２
2005136673.tif 000002
【特許請求の範囲】
【請求項１】
複数の画像データ及び各画像データに対応する撮影日時情報を記憶する記憶媒体と、
前記複数の画像データを、対応する撮影日時情報とともに順次連続的に切り替えて表示する表示手段と、
前記表示手段に表示される撮影日時情報の表示方法を選択するための情報を外部入力する入力手段と、
前記入力された情報に基づいて、撮影日時情報の表示方法を設定する表示方法設定手段と、
前記設定された表示方法に基づいて、前記表示手段に撮影日時情報を表示させる制御手段と、
を備えたことを特徴とする画像再生装置。
【請求項２】
請求項１に記載の画像再生装置において、
前記表示方法は、撮影日時情報を文字として表示する文字表示、又は、撮影日時情報をカレンダー上に表示するカレンダー表示であることを特徴とする画像再生装置。
【請求項３】
請求項２に記載の画像再生装置において、
前記表示方法が文字表示である場合に、前記表示方法設定手段は、前記表示手段に表示される文字のサイズ、色、フォント、文字装飾又は位置を設定することを特徴とする画像再生装置。
【請求項４】
請求項２に記載の画像再生装置において、
前記表示方法がカレンダー表示である場合に、前記表示方法設定手段は、前記表示手段に表示されるカレンダーのサイズ若しくは位置、又は、文字のサイズ、色、フォント若しくは文字装飾を設定することを特徴とする画像再生装置。
【発明の詳細な説明】
【技術分野】
【０００１】
本発明は、複数の画像データを順次連続的に切り替えて再生する画像再生装置に関する。
【背景技術】
【０００２】
近年、デジタルカメラやスキャナ等によって撮影、取得した複数の画像データを順次連続的に切り替えて再生する、いわゆるスライドショー機能を有する画像再生装置が普及している。例えば、スライドショーを行う際に、複数の画像の再生順序をユーザが任意に指定することができる静止画映像再生装置や（特許文献１参照。）、画像記録時に、画像ファイルの関連情報を記録するためのコントロールファイルに、同一条件で記録したファイルを認識できる情報及び画像データの開始位置情報を記述しておき、再生時に、コントロールファイルを参照することにより、同一条件で記録されたファイルについてはファイルの属性情報を読み込まずに、画像データの開始位置から画像データを読み出して高速連続再生を可能とする画像情報記録再生装置（特許文献２参照。）が提案されている。
【０００３】
また、スライドショーとして画像データを再生する際に、各画像とともに、その画像が撮影された撮影日を表示する機能を有するものもある。この場合、ユーザは、表示される画像の撮影日を知ることができる。
【特許文献１】特開平４−１３３８８号公報
【特許文献２】特開平５−３０７５９３号公報
【発明の開示】
【発明が解決しようとする課題】
【０００４】
しかし、上記従来技術においては、画像とともに表示される撮影日が表示画面に対して小さく、遠くからでは見づらいという問題があった。
【０００５】
本発明は上記の従来技術における問題に鑑みてなされたものであって、ユーザの希望に応じた表示方法で、画像データの撮影日時を表示することができる画像再生装置を提供することを課題とする。
【課題を解決するための手段】
【０００６】
請求項１に記載の発明は、複数の画像データ及び各画像データに対応する撮影日時情報を記憶する記憶媒体と、前記複数の画像データを、対応する撮影日時情報とともに順次連続的に切り替えて表示する表示手段と、前記表示手段に表示される撮影日時情報の表示方法を選択するための情報を外部入力する入力手段と、前記入力された情報に基づいて、撮影日時情報の表示方法を設定する表示方法設定手段と、前記設定された表示方法に基づいて、前記表示手段に撮影日時情報を表示させる制御手段と、を備えたことを特徴としている。
【０００７】
請求項２に記載の発明は、請求項１に記載の画像再生装置において、前記表示方法は、撮影日時情報を文字として表示する文字表示、又は、撮影日時情報をカレンダー上に表示するカレンダー表示であることを特徴としている。
【０００８】
請求項３に記載の発明は、請求項２に記載の画像再生装置において、前記表示方法が文字表示である場合に、前記表示方法設定手段は、前記表示手段に表示される文字のサイズ、色、フォント、文字装飾又は位置を設定することを特徴としている。
【０００９】
請求項４に記載の発明は、請求項２に記載の画像再生装置において、前記表示方法がカレンダー表示である場合に、前記表示方法設定手段は、前記表示手段に表示されるカレンダーのサイズ若しくは位置、又は、文字のサイズ、色、フォント若しくは文字装飾を設定することを特徴としている。
【発明の効果】
【００１０】
請求項１に記載の発明によれば、入力手段から入力された情報に基づいて撮影日時情報の表示方法を設定し、設定された表示方法に基づいて表示手段に撮影日時情報を表示するので、ユーザの希望に応じた表示方法で、画像データの撮影日時を表示することができる。
【００１１】
請求項２に記載の発明によれば、撮影日時情報を文字として表示する文字表示、又は、撮影日時情報をカレンダー上に表示するカレンダー表示を用いて、撮影日時情報を表示することができる。
【００１２】
請求項３に記載の発明によれば、表示方法が文字表示である場合に、表示手段に表示される文字のサイズ、色、フォント、文字装飾又は位置を設定することができる。
【００１３】
請求項４に記載の発明によれば、表示方法がカレンダー表示である場合に、表示手段に表示されるカレンダーのサイズ若しくは位置、又は、文字のサイズ、色、フォント若しくは文字装飾を設定することができる。
【発明を実施するための最良の形態】
【００１４】
以下、図面を参照して、本発明の実施の形態について詳細に説明する。画像再生装置としては、パソコン（ＰＣ：Personal Computer）、デジタルカメラ、ＨＤＤ（Hard Disk Drive）プレーヤー、ＤＶＤ（Digital Versatile Disk）プレーヤー、撮影手段を備えた携帯端末装置等が挙げられる。
【００１５】
図１に、本発明の実施の形態における画像再生装置１の機能的構成を示す。
画像再生装置１は、ＣＰＵ（Central Processing Unit）１１、入力部１２、表示部１３、ＲＯＭ（Read Only Memory）１４、ＲＡＭ（Random Access Memory）１５、記憶部１６、を備える。
【００１６】
ＣＰＵ１１は、入力部１２から入力される各種指示に従って、ＲＯＭ１４に記憶されている各種プログラムの中から指定されたプログラムをＲＡＭ１５のワークエリアに展開し、上記プログラムとの協働によって各種処理を実行し、その処理結果をＲＡＭ１５の所定の領域に格納するとともに、必要に応じて処理結果を表示部１３に表示させる。
【００１７】
具体的に、ＣＰＵ１１は、記憶部１６に記憶されている複数の画像データを撮影日時情報とともに、表示部１３に順次連続的に切り替えて表示させる（スライドショー）。
【００１８】
また、ＣＰＵ１１は、ユーザによって入力部１２から入力される指示に従って、撮影日時情報の表示方法を設定し、この表示方法に基づいて、撮影日時情報を表示部１３に表示させる。
【００１９】
入力部１２は、カーソルキーや数字キー、各種機能キーを備え、各キー操作による押下信号をＣＰＵ１１に出力する。
【００２０】
表示部１３は、ＣＲＴ（Cathode Ray Tube）やＬＣＤ（Liquid Crystal Display）等で構成され、ＣＰＵ１１からの表示信号に従って、画面表示を行う。
【００２１】
ＲＯＭ１４は、不揮発性の半導体メモリで構成され、ＣＰＵ１１により実行される各種プログラム等を記憶している。
【００２２】
ＲＡＭ１５は、書き換え可能な半導体素子で構成される。ＲＡＭ１５は、データが一時的に保存される記憶媒体であり、ＣＰＵ１１が実行するプログラムを展開するためのプログラムエリア、ＣＰＵ１１による各種処理結果等を保存するためのデータエリア、等が形成される。
【００２３】
記憶部１６は、磁気的、光学的記録媒体、又は半導体メモリ等を含んだ記憶媒体であり、複数の画像データを記憶する。画像データは静止画の画像データでもよいし、動画の画像データでもよい。
【００２４】
画像データファイルには、付帯情報として、各画像データに対応する撮影日時情報が記録されている。撮影日時情報とは、画像が撮影された撮影年、撮影月、撮影日、撮影時刻（時、分、秒）をいう。付帯情報が画像データと同一ファイル内に保持されている例として、例えば、Ｅｘｉｆ（Exchangeable image file format）や、ＴＩＦＦ（Tagged Image File Format）のタグに記録されたものが挙げられる。Ｅｘｉｆのタグのうち、画像データに関する基本的な情報は、ＴＩＦＦで規定されている標準タグがそのまま使われている。なお、画像データは、ＥｘｉｆやＴＩＦＦを用いて作成されたものに限定されない。例えば、コメント等が記録できるタグやボックスを有するフォーマットを用いた画像データであって、そこに撮影日時情報が記録されている場合には、それを用いてもよい。
【００２５】
次に、画像再生装置１の動作について説明する。
図２は、画像再生装置１において実行される画像再生処理を説明するフローチャートである。なお、動作説明の前提として、フローチャートに記述されている各処理を実現するためのプログラムは、画像再生装置１のＣＰＵ１１が読み取り可能なプログラムの形態でＲＯＭ１４に格納されており、ＣＰＵ１１は、当該プログラムに従った動作を逐次実行する。
【００２６】
まず、表示部１３に、撮影日時情報を表示するか否かを選択させるための設定画面が表示され、入力部１２から入力される指示により、撮影日時情報を表示するか否かが選択される（ステップＳ１）。例えば、図３に示すように、撮影日時情報の表示の有無をボタン等で選択できるようにすればよい。ユーザが撮影日時情報の表示を希望する場合には、ボタンをチェックする。
【００２７】
次に、表示部１３に、撮影日時情報の表示方法として、撮影日時情報を文字として表示する文字表示、又は、撮影日時情報をカレンダー上に表示するカレンダー表示を選択させるための設定画面が表示され、入力部１２から入力される指示により、文字表示又はカレンダー表示が選択される（ステップＳ２）。
【００２８】
文字表示が選択された場合には（ステップＳ２；文字表示）、表示部１３に、撮影日時情報を表示する際の文字のサイズ、色、フォント、文字装飾又は位置を選択させるための設定画面が表示され、入力部１２からの指示に基づいて、これらの設定が行われる（ステップＳ３）。撮影日時情報を表示する際の文字のサイズは、スライドショーを表示する表示部１３とユーザとの距離や、ユーザの視力に応じて設定を変更すればよい。フォントとしては、ゴシック体、明朝体等から選択可能となっている。文字装飾は、フォントに太字や斜体といった効果をつけるもので、太字（ボールド）や斜体（イタリック）、影付き文字（シャドウ）、中抜き文字、下線（アンダーバー）等から選択可能とする。文字の位置は、表示部１３の表示画面における座標を示す数値等で設定するものとする。例えば、図４に示すように、フォント、サイズ、文字装飾、色の各項目がポップアップメニューになっており、複数の選択肢から選択することができるようになっている。
【００２９】
また、撮影日時情報を表示する表示形式は、ユーザが選択できることとしてもよい。例えば、「２００３年８月１３日」という撮影日時情報が得られた場合、表示例として、「２００３年８月１３日」、「２００３．０８．１３」、「０３．０８．１３」、「２００３／０８／１３」、「Ａｕｇ．１３，２００３」等の表示形式が挙げられる。
【００３０】
また、画像が撮影された年、月、日、時、分、秒の表示形式をユーザが任意に設定できるようにしてもよい。「２００３年８月１３日１５時３９分２０秒」という撮影日時情報が得られた場合、「２００３．０８．１３  １５：３９：２０」のように、撮影日時情報として取得できる全ての情報を表示してもよいし、日付まで、月まで、年までというように、ユーザが希望する情報のみを表示してもよい。例えば、図５に示すように、撮影年、月、日、時、分、秒に対応するチェックボックスが表示され、ユーザが選択するものとする。「２００３年７月−８月」のように、得られた撮影日時情報に範囲がある場合には、「２００３．０７−０８」のように表示してもよいし、始期となる月のみを表示してもよい。
【００３１】
カレンダー表示が選択された場合には（ステップＳ２；カレンダー表示）、表示部１３に、カレンダー表示の種類を選択させるための設定画面が表示され、入力部１２からの指示に基づいて設定が行われる。そして、表示部１３に、撮影日時情報を表示する際のカレンダーのサイズや位置、文字のサイズ、色、フォント、文字装飾を選択させるための設定画面が表示され、入力部１２からの指示に基づいて設定が行われる（ステップＳ４）。
【００３２】
カレンダー表示の例を、図６〜図８に示す。
図６は、一般的なカレンダー表示の例である。１か月分のカレンダーが表示され、撮影日時情報として取得された撮影日に該当する部分の数字が反転表示される。反転表示される部分の色は、設定画面で選択できるようにしてもよい。図６は、表示されている画像が、２００３年９月１７日に撮影されたということを示している。カレンダー部を画像上に表示する場合、画像の妨げにならないよう、カレンダー部を半透明に表示することが好ましい。カレンダーのデザインを複数用意して、選択できるようにしてもよい。また、図示しないが、カレンダーに撮影時刻を表示するようにしてもよい。
【００３３】
図７に、月のスケールを表示した例を示す。１年分の月が表示され、撮影日時情報として取得された撮影月に該当する部分の数字が反転表示される。図７は、表示されている画像が、２００３年７月に撮影されたということを示している。図７においては、縦方向に数字を並べた例を示したが、横方向であってもよい。また、数字表記ではなく、Ｊａｎ．、Ｆｅｂ．等のような英語表記であってもよい。また、「２００３年７月−８月」のように、得られた撮影日時情報に範囲がある場合には、７月と８月の両方を反転表示させてもよい。図７の例では、画像とは別の領域に撮影月を表示しているが、画像上に重なるように表示してもよい。
【００３４】
図８に、年のスケールを表示した例を示す。撮影日時情報として取得された撮影年に該当する部分の数字が反転表示される。図８は、表示されている画像が、２０００年に撮影されたということを示している。図８においては、縦方向に数字を並べた例を示したが、横方向であってもよい。表示する年の範囲は、スライドショーの対象となる複数の画像のうち、撮影日時が最も古い年のものから最も新しい年のものまでを範囲とすればよい。また、ユーザが表示する年の範囲を指定してもよい。
【００３５】
以上のような設定に基づいて、記憶部１６に記憶されている複数の画像データが撮影日時情報とともに、表示部１３に順次連続的に切り替えて表示され、スライドショーとして再生される（ステップＳ５）。静止画の画像データの場合は、所定時間毎に順次切り替えて表示され、動画の画像データの場合は、１つのファイルの再生が終了すると、次のファイルが順次再生される。１サイクルのスライドショーに、静止画の画像データと動画の画像データの両方が含まれていてもよい。スライドショーの対象となるファイル及びそれらの再生順序は、ユーザの希望に応じて予め設定されているものとする。また、複数の画像データがランダムな順序で表示されてもよいし、所定の順序で繰り返し表示されることとしてもよい。
以上で、画像再生処理が終了する。
【００３６】
画像再生装置１によれば、入力部１２から入力された情報に基づいて撮影日時情報の表示方法を設定し、設定された表示方法に基づいて表示部１３に撮影日時情報を表示するので、ユーザの希望に応じた表示方法で、各画像データに対応する撮影日時を表示することができる。
【００３７】
なお、上記実施の形態における記述は、本発明に係る好適な画像再生装置の例であり、これに限定されるものではない。画像再生装置を構成する各部の細部構成及び細部動作に関しても本発明の趣旨を逸脱することのない範囲で適宜変更可能である。
【００３８】
例えば、上記実施の形態では、撮影日時情報が画像データファイルに付帯情報として記録されていることとしたが、画像データファイルのファイル名又は画像データファイルが属するディレクトリ名に撮影日時情報が含まれていてもよい。ファイル名又はディレクトリ名が撮影日時に関連がある場合は、そこから撮影日時情報を取得することができる。例えば、ファイル名が「20030813.jpg」、「20030813_xxxx.jpg（xxxxは撮影者や撮影場所等。）」である場合等、ファイル名の全部又は一部に、撮影された年、月、日を示す情報がある場合は、その情報を解析することにより、撮影日時情報を取得することができる。この例では、２００３年８月１３日を示している。
【００３９】
各ファイル名に撮影日時情報が含まれている場合であっても、そのファイルを含むディレクトリ名にも撮影日時情報が含まれている場合には、ディレクトリ名の方の情報を用いることとしてもよい。図９に示すように、撮影日時情報の取得方法として、表示部１３に「ファイル名から」と「ディレクトリ名から」とが選択可能に表示され、ユーザが選択できることとしてもよい。例えば、２００３年７月に撮影した各画像データが「2003_07」というディレクトリに保存されている場合には、ディレクトリ名から「２００３年７月」という情報を取得することができる。また、２００３年７月から８月に撮影した各画像データが「2003_07-08」というディレクトリに保存されている場合には、ディレクトリ名から「２００３年７月から２００３年８月」という情報を取得することができる。
【００４０】
また、撮影日時情報が画像データと別のファイルに保存されている場合には、そのファイルの内容を解析することにより撮影日時情報を取得することとしてもよい。この場合、撮影日時情報を含むファイルは、画像データと同じディレクトリ内に存在してもよいし、違うディレクトリ内に存在してもよい。撮影日時情報を含むファイルは、ＸＭＬ（Extensible Markup Language）形式で記録されていてもよい。
【００４１】
また、撮影日時情報を含むファイルには、撮影日時情報以外の情報が記録されていてもよい。例として、画像をグルーピングするための情報（例えば、スライドショーにおける再生の１サイクルの対象となる画像ファイル名）が記録されており、それらとともに撮影日時情報が記録されていてもよい。
【００４２】
また、上記実施の形態では、画像再生装置１が表示部１３を備えた構成であることとしたが、外部の表示装置と接続し、その表示装置に画像が表示されることとしてもよい。
【図面の簡単な説明】
【００４３】
【図１】本発明の実施の形態における画像再生装置１の機能的構成を示すブロック図である。
【図２】画像再生装置１において実行される画像再生処理を説明するフローチャートである。
【図３】撮影日時情報の表示の有無を選択させるための設定画面の例である。
【図４】撮影日時情報を表示する際の文字のサイズ、色、フォント、文字装飾を選択させるための設定画面の例である。
【図５】撮影年、月、日、時、分、秒の表示範囲を選択させるための設定画面の例である。
【図６】一般的なカレンダー表示の例である。
【図７】月のスケールの例である。
【図８】年のスケールの例である。
【図９】撮影日時情報の取得方法を選択させる際の表示例である。
【符号の説明】
【００４４】
１  画像再生装置
１１  ＣＰＵ
１２  入力部
１３  表示部
１４  ＲＯＭ
１５  ＲＡＭ
１６  記憶部
【図１】
2005136673.tif 000003
【図２】
2005136673.tif 000004
【図３】
2005136673.tif 000005
【図４】
2005136673.tif 000006
【図５】
2005136673.tif 000007
【図６】
2005136673.tif 000008
【図７】
2005136673.tif 000009
【図８】
2005136673.tif 000010
【図９】
2005136673.tif 000011